(57)【要約】【課題】送受信用切換スイッチを不要としたＮＲＤガイドトランシーバ、これを用いて、簡易な構成で、映像データなどの大容量データを短時間にダウンロードすることができるダウンロードシステム、およびこれに用いられるダウンロード用メモリを提供すること。【解決手段】所定間隔をおいて平行配置された一対の導体板１５２，１５３間に配置された一対の誘電体ストリップ１５４，１５５を備え、この一対の誘電体ストリップ１５４，１５５の双方の各端部にはショットキーバリアダイオード１５６，１５７が接続されるとともに、信号入力端子に低域通過フィルタ１６４が接続され、ＩＦ出力端子に高域通過フィルタ１６５が接続される。【選択図】        図１
2005286991.tif 000002
【特許請求の範囲】
【請求項１】
所定間隔をおいて平行配置された一対の導体板間に配置された一対の誘電体ストリップと、前記一対の誘電体ストリップの一方の一端に接続された発振器と、前記一対の誘電体ストリップの他方の一端に接続されたアンテナと、前記一対の誘電体ストリップの双方の各他端に接続されたショットキーバリアダイオードとを備えたＮＲＤガイド回路において、
信号入力端子に接続された低域通過フィルタと、
ＩＦ出力端子に接続された高域通過フィルタと、
を備えていることを特徴とするＮＲＤガイドトランシーバ。
【請求項２】
所定間隔をおいて平行配置された一対の導体板間に配置された一対の誘電体ストリップと、前記一対の誘電体ストリップの一方の一端に接続された発振器と、前記一対の誘電体ストリップの他方の一端に接続されたアンテナと、前記一対の誘電体ストリップの双方の各他端に接続されたショットキーバリアダイオードとを備えたＮＲＤガイド回路において、
信号入力端子及び回路終端に接続された２基の低域通過フィルタと、
ＩＦ出力端子に接続された高域通過フィルタと、
を備え、前記回路終端に接続されたフィルタの出力端子に抵抗を接続したことを特徴とするＮＲＤガイドトランシーバ。
【請求項３】
前記ショットキーバリアダイオードのマウントを一体で構成したことを特徴とする請求項１または２に記載のＮＲＤガイドトランシーバ。
【請求項４】
前記ショットキーバリアダイオードにバイアス電圧を印加するバイアス回路を併設したことを特徴とする請求項１〜３のいずれか一つに記載のＮＲＤガイドトランシーバ。
【請求項５】
受信手段に直接接続され、該受信手段によって受信されたデータが直接書き込まれるＤＲＡＭを有した携帯型のダウンロード用メモリ。
【請求項６】
当該ダウンロード用メモリに格納されたデータを順次送信するデータ伝送用送信手段をさらに備えたことを特徴とする請求項５に記載のダウンロード用メモリ。
【請求項７】
大容量高速データ伝送が可能なサーバ側送受信手段と、
大容量データを格納するＤＲＡＭを有したサーバ側メモリと、
クライアント側からの要求に従い前記サーバ側メモリに格納されたデータのうちの要求されたデータを前記サーバ側送受信手段から送信させる送信側制御手段と、
を有したサーバと、
前記サーバ側送受信手段から伝送されたデータを受信するクライアント側送受信手段と、
前記クライアント側送受信手段が受信した大容量データを直接書き込むＤＲＡＭを有したダウンロード用メモリと、
前記サーバ側にダウンロードすべきデータを指示するとともにダウンロードされたデータを前記ダウンロード用メモリに書き込ませる受信側制御手段と、
を有したクライアントと、
を備えたことを特徴とするダウンロードシステム。
【請求項８】
前記サーバは、前記サーバ側メモリに格納された大容量データをバックアップ用に格納する不揮発性の記憶手段をさらに備えたことを特徴とする請求項７に記載のダウンロードシステム。
【請求項９】
前記サーバ側送受信手段および前記クライアント側送受信手段は、ミリ波伝送の送受信を行うことを特徴とする請求項７または８に記載のダウンロードシステム。
【請求項１０】
前記サーバ側送受信手段および前記クライアント側送受信手段の少なくとも１つは、ＮＲＤガイドを用いた回路であることを特徴とする請求項９に記載のダウンロードシステム。
【請求項１１】
前記ダウンロード用メモリが接続可能であり、該ダウンロード用メモリに格納されたデータを再生する再生装置をさらに備えたことを特徴とする請求項７〜１０のいずれか一つに記載のダウンロードシステム。
【請求項１２】
前記ダウンロード用メモリは、当該ダウンロード用メモリに格納されたデータを順次無線送信する無線送信手段を備え、
前記無線送信手段から送信されたデータを受信する無線受信手段を有し、受信したデータを再生する再生装置を備えたことを特徴とする請求項７〜１０のいずれか一つに記載のダウンロードシステム。
【請求項１３】
ダウンロードされる前記データに広告データを付加したことを特徴とする請求項７〜１２のいずれか一つに記載のダウンロードシステム。
【請求項１４】
前記ＮＲＤガイドを用いた回路は、
所定間隔をおいて平行配置された一対の導体板間に配置された一対の誘電体ストリップと、
前記一対の誘電体ストリップの一方の一端に接続された発振器と、前記一対の誘電体ストリップの他方の一端に接続されたアンテナと、
前記一対の誘電体ストリップの双方の各他端に接続されたショットキーバリアダイオードと、
信号入力端子に接続された低域通過フィルタと、
ＩＦ出力端子に接続された高域通過フィルタと、
を備えていることを特徴とする請求項１０に記載のダウンロードシステム。
【請求項１５】
前記ＮＲＤガイドを用いた回路は、
所定間隔をおいて平行配置された一対の導体板間に配置された一対の誘電体ストリップと、
前記一対の誘電体ストリップの一方の一端に接続された発振器と、
前記一対の誘電体ストリップの他方の一端に接続されたアンテナと、
前記一対の誘電体ストリップの双方の各他端に接続されたショットキーバリアダイオードと、
信号入力端子及び回路終端に接続された２基の低域通過フィルタと、
ＩＦ出力端子に接続された高域通過フィルタと、
を備え、前記回路終端に接続されたフィルタの出力端子に抵抗を接続したことを特徴とする請求項１０に記載のダウンロードシステム。
【請求項１６】
前記ショットキーバリアダイオードのマウントを一体で構成したことを特徴とする請求項１４または１５に記載のダウンロードシステム。
【請求項１７】
前記ショットキーバリアダイオードにバイアス電圧を印加するバイアス回路を併設したことを特徴とする請求項１４〜１６のいずれか一つに記載のダウンロードシステム。
【発明の詳細な説明】
【技術分野】
【０００１】
この発明は、超高速無線ＬＡＮ、ホームリンク、広帯域無線アクセスシステム、車車間通信システムなどの超高速・大容量無線通信を実現する構成要素であるＮＲＤガイドトランシーバ、これを用いたダウンロードシステムおよびこれに用いられるダウンロード用メモリに関するものである。
【背景技術】
【０００２】
近年、超高速・大容量無線通信の実現が強く要望されており、電波法で定める免許が不要なミリ波帯、５９〜６６ＧＨｚをカバーする広帯域な回路素子の開発が重要となっている。これによって、超高速無線ＬＡＮ、ホームリンク、広帯域無線アクセスシステム、車車間通信システムなどが、例えば１Ｇｂｐｓを超える伝送速度で実現することができる。
【０００３】
そして、このような６０ＧＨｚ帯ミリ波の伝送線路として、遮断平行平板導波管内に方形断面の誘電体ストリップを挿入して構成されるＮＲＤガイドが知られている（例えば、特許文献１参照）。
【０００４】
ＮＲＤガイドは、上下に所定間隔をおいて平行配置された厚さ４．０ｍｍ程度の一対の導体板間に方形断面の誘電体ストリップを配置して構成される。導体板には、アルミニウムや銅、或いは真鍮などの良導電体・非磁性体材料が使用されている。また、誘電体ストリップには、ミリ波のような高周波帯で低損失な比誘電率εｒが３．０以下、例えば、εｒ＝２．０４のテフロン（登録商標）、εｒ＝２．１のポリエチレン、εｒ＝２．５６のポリスチレン等の誘電体が使用されている。
【０００５】
図２０は、このようなＮＲＤガイドを、ＮＲＤガイドマルチチャネルテレビ信号伝送システムにおけるＮＲＤガイド受信機に適用した場合の構成図である。ＮＲＤガイド受信機１０１の受信アンテナ１０２で受信された６０ＧＨｚ帯ミリ波は、一対の導体板１０３，１０４の間に配置されて湾曲した一対の誘電体ストリップ１０５，１０６で構成される３ｄＢＮＲＤガイド結合器１０７を通して２つに分けられる。
【０００６】
誘電体ストリップ１０５の湾曲の曲率半径ｒと角度θは、ｒ＝１０ｍｍ、θ＝１１０度に設定されている。また、誘電体ストリップ１０６の湾曲の曲率半径ｒは、ｒ＝４３ｍｍである。尚、誘電体ストリップ１０６は直線で構成することも可能である。６０ＧＨｚ帯ミリ波がＮＲＤガイド結合器１０７により２つに分けられた後、バランスミキサ１０８，１０９に導入される。
【０００７】
バランスミキサ１０８，１０９は、２つのショットキーバリアダイオード１１０，１１１でミキシングする構造であり、感度を高めている。また、ショットキーバリアダイオード１１０，１１１のマウント前面にはテフロン（登録商標）チップ１１２，１１３が取り付けられ、ショットキーバリアダイオード１１０，１１１が壊れないよう保護している。同様に、ショットキーバリアダイオード１１０，１１１のマウント裏面には高誘電率薄膜（図示せず）が取り付けられ、抵抗が小さいショットキーバリアダイオード１１０，１１１とインピーダンスの高い誘電体ストリップ１０５，１０６との整合を取っている。さらに高誘電率薄膜の後方にはテフロン（登録商標）チップ１１４，１１５が取り付けられＮＲＤガイド結合器１０７との整合をより高めている。
【０００８】
誘電体ストリップ１０６には、断面略Ｈ形状の金属片にガンダイオードをマウントしたガンダイオード発振器１１６からの発振信号が金属ストリップ共振器１１７を経て導かれる。また、誘電体ストリップ１０６の先端部には金属ストリップ共振器１１７との結合部分で生じる不要モードを抑えるためにモードサプレッサ１１８が挿入されている。さらに、誘電体ストリップ１０６の近くには、周波数安定化のためのセラミック共振器１１９が側結合するように配置されている。セラミック共振器１１９は高Ｑのセラミックディスクを真中にして上下をテフロン（登録商標）ディスクで挟んで構成され、セラミックディスクが導体板１０３，１０４の真中にくるようにして放射がなくなるようにしてある。尚、セラミックディスクの厚さは０．４７ｍｍ、共振周波数は５９ＧＨｚとしている。
【０００９】
ガンダイオード発振器１１６からの５９ＧＨｚ発振信号は、誘電体ストリップ１０６によりＮＲＤガイド結合器１０７を通してバランスミキサ１０８、１０９に加えられ、そこでダウンコンバートされて、ＩＦ信号が端子１２０に出力される。
【００１０】
一方、従来から、映像データのダウンロード、録画や再生などを行う装置としては、たとえば、ＤＶＤに記録された映像データを再生するポータブルＤＶＤプレーヤ、記憶部を有しこの記憶部に映像データを転送して格納しこの格納された映像データを再生するソリッドプレーヤ、放送された映像データを受信して再生する携帯液晶テレビ、ハードディスクなどの大容量の記憶部に映像データを格納して再生することができるノートＰＣなどがある。
【００１１】
【特許文献１】特開２０００−５９１１４号公報
【特許文献２】特開２００２−０９２５７１号公報
【発明の開示】
【発明が解決しようとする課題】
【００１２】
ところで、ＮＲＤガイドトランシーバにあっては、上記の如く構成されたＮＲＤガイド受信機１０１のほかには、別体のＮＲＤガイド送信機を必要としている。
【００１３】
これに対し、周知の通信回路には、切換スイッチにより共通のアンテナを送受信アンテナとして使用している。例えば、図２１に示したトランシーバ１２１は、発振器１２２と送受信アンテナ１２３との間に、切換スイッチ１２４，１２５で切り替えられる送信回路１２６と１受信回路２７とを備えている。
【００１４】
この際、ＮＲＤガイドの低損失性を活かすと、図２１に示した電力増幅器１２８と低雑音増幅器１２９とを不要とすることができる。図２２は、このような増幅器を不要としたトランシーバ１３１を示す。尚、このトランシーバ１３１においても、発振器１３２と送受信アンテナ１３３との間に、送信側と受信側との切換スイッチ１３４を必要としている。
【００１５】
さらに、このような増幅器を不要とした結果、図２３に示すように、ＮＲＤガイド結合器１４１を利用した簡単な構成のミリ波トランシーバを実現することが可能となった（詳細は特願２００２−９１４９６号に開示）。尚、図２３において、１４２，１４３は誘電体ストリップ、１４４はガンダイオード、１４５は送信器、１４６は受信器である。
【００１６】
しかしながら、このようなＮＲＤガイド結合器１４１を用いた場合であっても、送信器１４５と受信器１４６とは、高速切換スイッチ１４７による切換が必要となっていた。
【００１７】
一方、上述したポータブルＤＶＤプレーヤは、映像データを再生するものであるが、このＤＶＤディスクを用いた再生には使用時に騒音があり、記憶媒体が大きいという問題点があった。また、ソリッドプレーヤは、記憶部に映像データを転送するのに時間がかかり、見たい映像を直ちに見ることができないとともに、記憶部の記憶容量が小さいため大きな容量の映像をみることができないという問題点があった。さらに、携帯液晶テレビは、記憶媒体をもたいないため、再生すべき映像データを選択する自由度がないという問題点があった。ノートＰＣによる映像データは、基本的に大容量のハードディスクなどに格納され、再生には問題ないが、所望の映像データをノートＰＣ側に転送する場合、機械的動作をするハードディスクに大容量の映像データを格納することから、転送速度が低下し、結果的に転送時間がかかるという問題点があった。いずれにしても、従来の装置では、大容量の映像データを短時間にダウンロードできないという問題点があった。
【００１８】
この発明は上記に鑑みてなされたもので、送受信用切換スイッチを不要としたＮＲＤガ
イドトランシーバ、これを用いて、簡易な構成で、映像データなどの大容量データを短時間にダウンロードすることができるダウンロードシステム、およびこれに用いられるダウンロード用メモリを提供することを目的とする。
【課題を解決するための手段】
【００１９】
上述した課題を解決し、目的を達成するために、この発明は、所定間隔をおいて平行配置された一対の導体板間に配置された一対の誘電体ストリップと、前記一対の誘電体ストリップの一方の一端に接続された発振器と、前記一対の誘電体ストリップの他方の一端に接続されたアンテナと、前記一対の誘電体ストリップの双方の各他端に接続されたショットキーバリアダイオードとを備えたＮＲＤガイド回路において、信号入力端子に接続された低域通過フィルタと、ＩＦ出力端子に接続された高域通過フィルタと、を備えていることを特徴とする。
【００２０】
また、この発明は、所定間隔をおいて平行配置された一対の導体板間に配置された一対の誘電体ストリップと、前記一対の誘電体ストリップの一方の一端に接続された発振器と、前記一対の誘電体ストリップの他方の一端に接続されたアンテナと、前記一対の誘電体ストリップの双方の各他端に接続されたショットキーバリアダイオードとを備えたＮＲＤガイド回路において、信号入力端子及び回路終端に接続された２基の低域通過フィルタと、ＩＦ出力端子に接続された高域通過フィルタと、を備え、前記回路終端に接続されたフィルタの出力端子に抵抗を接続したことを特徴とする。
【００２１】
また、この発明は上記の発明において、前記ショットキーバリアダイオードのマウントを一体で構成したことを特徴とする。
【００２２】
また、この発明は上記の発明において、前記ショットキーバリアダイオードにバイアス電圧を印加するバイアス回路を併設したことを特徴とする。
【００２３】
また、この発明は、受信手段に直接接続され、該受信手段によって受信されたデータが直接書き込まれるＤＲＡＭを有した携帯型のダウンロード用メモリであることを特徴とする。
【００２４】
また、この発明は、上記の発明において、当該ダウンロード用メモリに格納されたデータを順次送信するデータ伝送用送信手段をさらに備えたことを特徴とする。
【００２５】
また、この発明は、大容量高速データ伝送が可能なサーバ側送受信手段と、大容量データを格納するＤＲＡＭを有したサーバ側メモリと、クライアント側からの要求に従い前記サーバ側メモリに格納されたデータのうちの要求されたデータを前記サーバ側送受信手段から送信させる送信側制御手段と、を有したサーバと、前記サーバ側送受信手段から伝送されたデータを受信するクライアント側送受信手段と、前記クライアント側送受信手段が受信した大容量データを直接書き込むＤＲＡＭを有したダウンロード用メモリと、前記サーバ側にダウンロードすべきデータを指示するとともにダウンロードされたデータを前記ダウンロード用メモリに書き込ませる受信側制御手段と、を有したクライアントと、を備えたことを特徴とする。
【００２６】
また、この発明は、上記の発明において、前記サーバは、前記サーバ側メモリに格納された大容量データをバックアップ用に格納する不揮発性の記憶手段をさらに備えたことを特徴とする。
【００２７】
また、この発明は、上記の発明において、前記サーバ側送受信手段および前記クライアント側送受信手段は、ミリ波伝送の送受信を行うことを特徴とする。
【００２８】
また、この発明は、上記の発明において、前記サーバ側送受信手段および前記クライアント側送受信手段の少なくとも１つは、ＮＲＤガイドを用いた回路であることを特徴とする。
【００２９】
また、この発明は、上記の発明において、前記ダウンロード用メモリが接続可能であり、該ダウンロード用メモリに格納されたデータを再生する再生装置をさらに備えたことを特徴とする。
【００３０】
また、この発明は、上記の発明において、前記ダウンロード用メモリは、当該ダウンロード用メモリに格納されたデータを順次無線送信する無線送信手段を備え、前記無線送信手段から送信されたデータを受信する無線受信手段を有し、受信したデータを再生する再生装置を備えたことを特徴とする。
【００３１】
また、この発明は、上記の発明において、ダウンロードされる前記データに広告データを付加したことを特徴とする。
【００３２】
また、この発明は、上記の発明において、前記ＮＲＤガイドを用いた回路は、所定間隔をおいて平行配置された一対の導体板間に配置された一対の誘電体ストリップと、前記一対の誘電体ストリップの一方の一端に接続された発振器と、前記一対の誘電体ストリップの他方の一端に接続されたアンテナと、前記一対の誘電体ストリップの双方の各他端に接続されたショットキーバリアダイオードと、信号入力端子に接続された低域通過フィルタと、ＩＦ出力端子に接続された高域通過フィルタと、を備えていることを特徴とする。
【００３３】
また、この発明は、上記の発明において、前記ＮＲＤガイドを用いた回路は、所定間隔をおいて平行配置された一対の導体板間に配置された一対の誘電体ストリップと、前記一対の誘電体ストリップの一方の一端に接続された発振器と、前記一対の誘電体ストリップの他方の一端に接続されたアンテナと、前記一対の誘電体ストリップの双方の各他端に接続されたショットキーバリアダイオードと、信号入力端子及び回路終端に接続された２基の低域通過フィルタと、ＩＦ出力端子に接続された高域通過フィルタと、を備え、前記回路終端に接続されたフィルタの出力端子に抵抗を接続したことを特徴とする。
【００３４】
また、この発明は、上記の発明において、前記ショットキーバリアダイオードのマウントを一体で構成したことを特徴とする。
【００３５】
また、この発明は、上記の発明において、前記ショットキーバリアダイオードにバイアス電圧を印加するバイアス回路を併設したことを特徴とする。
【発明の効果】
【００３６】
この発明のＮＲＤガイドトランシーバによれば、簡単な構成で安価且つ量産が可能でありながら、送受信用切換スイッチを不要とした時分割送受信を可能としたＮＲＤガイドトランシーバとすることができる。
【００３７】
また、この発明によれば、サーバ側メモリとダウンロード用メモリとがＤＲＡＭで構成され、しかもサーバ側メモリとサーバ側送受信手段との間と、ダウンロード用メモリとクライアント側送受信手段との間とが、直接接続されているため、大容量伝送を高速に行うことができるという効果を奏する。
【発明を実施するための最良の形態】
【００３８】
以下に添付図面を参照して、この発明にかかるＮＲＤガイドトランシーバ、これを用いたダウンロードシステムおよびこれに用いられるダウンロード用メモリの好適な実施の形態を詳細に説明する。
【００３９】
（実施の形態１）
図１は、この発明にかかるＮＲＤガイドトランシーバの実施の形態１を示し、図２はＮＲＤガイドトランシーバの斜視図、図６および図７は要部の回路構成図である。図１において、ＮＲＤガイドトランシーバ１５１は、一対の導体板１５２，１５３の間に配置されて湾曲した一対の誘電体ストリップ１５４，１５５を備えている。
【００４０】
誘電体ストリップ１５４の一端にはショットキーバリアダイオード１５６が設けられている。また、誘電体ストリップ１５４の他端は導体板１５２，１５３から先細り状に突出されており、送受信アンテナを構成している。
【００４１】
誘電体ストリップ１５５の一端には、ショットキーバリアダイオード１５７が設けられている。また、誘電体ストリップ１５５の他端には断面略Ｈ形状の金属片にガンダイオードをマウントしたガンダイオード発振器１５８が金属ストリップ共振器１５９を介して接続されている。
【００４２】
各ショットキーバリアダイオード１５６，１５７は、その両端が接点１６０〜１６３に接続されている。各接点１６０〜１６３は、導体板１５３の裏面で電気的に接続されている。また、導体板１５３の裏面には、図２に示すように、接点１６０と信号入力端子の間で接続された低域通過フィルタ１６４と、接点１６１，１６２間とＩＦ出力端子とに接続された高域通過フィルタ１６５とを備え、これら各フィルタ１６４，１６５により送受信信号が時分割（タイムシェアリング）で分離されるようになっている。
【００４３】
尚、各フィルタ１６４，１６５のバンドパス特性を図４および図５のグラフ図に示す。図４は低域通過フィルタ１６４の伝送特性、図５は高域通過フィルタ１６５の伝送特性である。また、各フィルタ１６４，１６５の回路構成を図１０および図１１に示す。図１０は低域通過フィルタ１６４の回路図、図１１は高域通過フィルタの回路図である。図１０において、Ｌ１はコイル、Ｃ１，Ｃ２はコイルＬ１の両端に接続されたコンデンサである。また、図１１において、Ｃ３，Ｃ４はコンデンサ、Ｌ２はコンデンサＣ３，Ｃ４間に接続されたコイルである。
【００４４】
入力信号周波数とＩＦ出力周波数とは、入力信号周波数の方がＩＦ出力周波数よりも低い。このとき、各フィルタ１６４，１６５の遮断周波数をこれら入出力周波数の中間に設定すると、次のようなことが言える。
【００４５】
即ち、低域通過フィルタ１６４の動作周波数では、高域通過フィルタ１６５は、図６に示すように、開放状態となり、変調回路となる。一方、高域通過フィルタ１６５の動作周波数では、低域通過フィルタ１６４は、図７にしめすように、短絡状態となり、ミキサ回路となる。これにより、従来技術で説明した送受信用切換スイッチを不要としたトランシーバを実現することができる。
【００４６】
（実施の形態２）
図１４および図１５は、本発明のＮＲＤガイドトランシーバの実施の形態２を示し、図１４はＮＲＤガイドトランシーバの斜視図、図１５は要部のブロック回路図である。図１４および図１５において、ＮＲＤガイドトランシーバ１７１は、一対の導体板１７２，１７３の間に配置されて湾曲した一対の誘電体ストリップ１７４，１７５を備えている。
【００４７】
誘電体ストリップ１７４の一端にはショットキーバリアダイオードを接続したマウント１７６が設けられている。また、誘電体ストリップ１７４の他端は導体板１７２，１７３から先細り状に突出されており、送受信アンテナを構成している。
【００４８】
誘電体ストリップ１７５の一端には、誘電体ストリップ１７４と共通のショットキーバリアダイオードを接続したマウント１７６が設けられている。また、誘電体ストリップ１７５の他端には断面略Ｈ形状の金属片にガンダイオードをマウントしたガンダイオード発振器１７７が金属ストリップ共振器１７８を介して接続されている。
【００４９】
ショットキーバリアダイオードマウント１７６には、図１５に示すように、１対のショットキーバリアダイオード１７９，１８０が接続され、その両端と中央が接点１８１〜１８３に接続されている。各接点１８１〜１８３は、導体板１７３の裏面で電気的に接続されている。尚、この各誘電体ストリップ１７４，１７５で共通のショットキーバリアダイオードマウント１７６は、1枚のテフロン（登録商標）基板上にプリントされたチョークパターン１８４から構成されている。
【００５０】
また、導体板１７３の裏面には、信号入力端子に低域通過フィルタ１８５、ＩＦ出力端子に高域通過フィルタ１８６がそれぞれ接続され、これら各フィルタ１８５，１８６により送受信信号が時分割で分離されるようになっている。
【００５１】
このように、ショットキーバリアダイオード１７９，１８０を具備したプレート状のショットキーバリアダイオードマウント１７６を各誘電体ストリップ１７４，１７５で共通の一体化することにより、簡素な構成でありながら、性能を向上させることができる。
【００５２】
（実施の形態３）
尚、図１６および図１７に示すように、必要に応じてバイアス電圧を印加するバイアス回路１９０を接続することも可能である。
【００５３】
（実施の形態４）
図１に示した実施の形態１において、回路構成を図３に示す構成としてもよい。この場合、信号入力端子に接続する低域通過フィルタと同一のフィルタ１６９を回路終端にも接続し、抵抗Ｒで終端する。さらに、ここに用いる低域通過フィルタ１６９を図１２に示すように構成する。すなわち、一対のコイルＬ３，Ｌ４と、このコイルＬ３，Ｌ４間に接続されたコンデンサＣ５とで構成する。
【００５４】
かかる構成にすると、ＩＦ周波数帯では、図３に示す構成は図９に示す等価回路で表され、ミキサ回路としての変換損が改善される。また、信号周波数帯の等価回路は図８で表され、抵抗Ｒの値を調整すれば変調器の整合をとることができる。すなわち、抵抗Ｒを設けているため整合を取るための箇所が増え、また、整合性をより良好にすることも可能となる。他の点は、実施の形態１と同じである。
【００５５】
図１３は、このようなＮＲＤガイドトランシーバ５１を２基用い、無バイアス状態で周波数６０ＧＨｚ、伝送速度１．２５Ｇｂｐｓという超高速伝送実験を行った際のパルス信号のグラフ図である。この図１３に示すように、（Ａ）の送信パルス列に対し、（Ｂ）の受信パルス列においてパルスの欠落は発見されなかった。
【００５６】
なお、上記の実施の形態においては高域通過フィルタ１６５を用いたが通常のバンドパスフィルタを用いてもよい。さらに、アンテナもいかなるアンテナを用いてもよい。
【００５７】
また、上述した実施の形態において、伝送周波数の高帯域化を図るため、電磁波のカップリング部分を局所化した構成としてもよい（特願２００３−１１５７０６号参照）。
【００５８】
（実施の形態５）
図１８は、この発明の実施の形態５であるダウンロードシステムの構成を示すブロック図である。図１８において、このダウンロードシステムは、大きく、サーバ２１０とクライアント２２０とを有する。サーバ２１０は、入出力部２１１、制御部２１２、大容量メモリ２１３、ＬＡＮカード２１４、ミリ波送受信器２１５およびＨＤＤ（ハードディスク装置）２１６を有する。大容量メモリ２１３は、たとえば２時間程度の映像データが１００ぐらい記憶可能である５００Ｇバイト程度のＤＲＡＭ２１３ａを有する。ＬＡＮカード２１４は、大容量メモリ２１３から映像データをパラレルシリアル変換してミリ波送受信器２１５側に送出する。ミリ波送受信器２１５は、シリアル変換された映像データを２６０ＧＨｚ帯のミリ波として１．５Ｇｂｐｓの伝送速度で無線送信し、受信したデータを制御部２１２に出力する。ＨＤＤ２１６は、大容量メモリ２１３に格納された映像データをバックアップ用のデータとして格納している。このＨＤＤ２１６への格納は、１日に一回程度行えばよい。入出力部２１１は、各種の情報の入出力を行うとともに、新規の映像データがある場合には大容量メモリ２１３に入力し格納させる。制御部２１２は、上述した各部の制御を行う。
【００５９】
クライアント２２０は、入出力部２２１、制御部２２２、携帯メモリ２２３、ＬＡＮカード２２４、ミリ波送受信器２２５を有する。携帯メモリ２２３は、たとえば２時間程度の映像データが１つぐらい記憶可能である５Ｇバイト程度のＤＲＡＭ２２３ａを有する。ＬＡＮカード２２４は、ミリ波送受信器２２５が受信した映像データをシリアルパラレル変換して携帯メモリ２２３側に送出する。ミリ波送受信器２２５は、ミリ波送受信器２１５から送信された映像データを受信し、ＬＡＮカード２２４を介して携帯メモリ２２３に出力するとともに、入出力部２２１から入力された指示情報を制御部２２２から受け付けてサーバ２１０側に送信する。入出力部２２１は、各種の情報の入出力を行う。制御部２２２は、上述した各部の制御を行う。
【００６０】
ここで、携帯メモリ２２３は、クライアント２２０に対して挿脱可能であり、クライアント２２０に挿入して映像データが格納された携帯メモリ２２３は、再生装置２３０において映像データが再生される。すなわち、再生装置２３０は、携帯メモリ２２３の挿脱が可能であり、携帯メモリ２２３が挿入された場合、再生装置２３０は、携帯メモリ２２３内の映像データを読み出して再生出力する。
【００６１】
ここで、全体的な処理の流れについて説明する。まず、ユーザは、クライアント２２０に携帯メモリ２２３を挿入し、入出力部２２１からダウンロードを希望する映像データを指示する。この指示は、制御部２２２を介してミリ波送受信器２２５からサーバ２１０側に送信される。サーバ２１０側において、ミリ波送受信器２１５は、クライアント２２０側からの指示データを受信すると、制御部２１２にこの指示データを送出する。制御部２１２は、大容量メモリ２１３に対して、指示された映像データをＬＡＮカード２１４側に転送する処理の指示を行い、大容量メモリ２１３は、指示された映像データをＬＡＮカード２１４に転送する。ＬＡＮカード２１４は、入力された映像データをパラレルシリアル変換し、ミリ波送受信器２１５を介してクライアント２２０側に送信する。
【００６２】
クライアント２２０側では、ミリ波送受信器２１５から無線送信された映像データをミリ波送受信器２２５によって受信し、ＬＡＮカード２２４を介して携帯メモリ２２３に格納する。その後、この携帯メモリ２２３は、クライアント２２０から取り外され、再生装置２３０に挿入されることによってダウンロードされた映像データが再生されることになる。
【００６３】
ここで、上述したダウンロードシステムは、ミリ波送受信器２１５，２２５を用いて高速大容量伝送を行うようにしているが、特に、ミリ波送受信器２１５，２２５が、ＬＡＮカード２１４，２２４を介して高速アクセスが可能なＤＲＡＭ２１３ａを有した大容量メモリ２１３あるいはＤＲＡＭ２２３ａを有した携帯メモリ２２３に直接接続されているため、ミリ波伝送のデータ転送を遅延なく行うことができ、ミリ波伝送速度を生かした映像データのダウンロードを実行することができる。この結果、ミリ波伝送の実行伝送速度を考慮しても、２時間程度の映像データが１分以下で携帯メモリ２２３にダウンロードすることができる。さらに、ＤＲＡＭ２１３，２２３ａは、その構成上、基本的に１つのスイッチと１つの容量とでメモリを構成することができるため、メモリの物理的な大きさを小さくすることができ、大容量の携帯メモリを容易に実現できる。
【００６４】
なお、ミリ波送受信器２１５，２２５は、それぞれ送受信器を有する構成としたが、これに限らず、サーバ２１０側は、ミリ波送信器のみの構成とし、クライアント２２０側は、ミリ波受信器のみの構成としてもよい。この場合、ダウンロードすべき映像データの指示は、サーバ２１０側の入出力部１１から行えばよい。あるいは、別の通信手段を設けてクライアント２２０側からサーバ２１０側に対して指示するようにしてもよい。
【００６５】
また、ミリ波送受信器２１５，２２５の少なくとも一方は、ＮＲＤガイド（非放射性誘電体線路：Nonradiative Dielectric Wave Guide）を用いた送受信を行うようにするとよい。ＮＲＤガイドを用いることによってロスが少ない送受信回路を構成することができるからである。この場合、発振器を送受信器の送信側と受信側とで共用するようにしてもよい（特願２００３−０４９９５４号参照）。
【００６６】
特に、実施の形態１〜４に示したＮＲＤガイドトランシーバをミリ波送受信器２１５，２２５として適用することによって、小型軽量化を促進し、かつ簡易な構成のミリ波送受信器が実現できる。
【００６７】
また、ミリ波送受信器２１５，２２５によって６０ＧＨｚ帯のミリ波を用いて無線の送受信を行うようにしていたが、これに限らず、光無線送受信手段あるいは光有線送受信手段を用いて送受信するようにしてもよい。これによって高速の大容量伝送が可能となる。
【００６８】
なお、上述した実施の形態５の応用例としては、たとえば、駅構内の売店にサーバ２１０とクライアント２２０とを配置し、列車などに再生装置２３０を配置しておき、ユーザが所望の映像データを携帯メモリ２２３にダウンロードし、このダウンロードした携帯メモリ２２３をユーザが携帯することによって列車内において映像データを再生することができる。この場合、ダウンロード時間が極めて短いため、列車の待ち時間内で十分に映像データをダウンロードすることができる。
【００６９】
さらに、ミリ波という高速無線伝送を有効に活用すれば、サーバ２１０を各駅構内に配置し、クライアント２２０を列車内に配置することによって、列車が停車中に迅速に大容量の映像データをダウンロードすることができる。この場合も、ユーザは、列車内の再生装置２３０を用いてダウンロードした映像データを再生することができる。
【００７０】
また、この携帯メモリ２２３を規格化することによって、ユーザが有する汎用の再生装置２３０によっても映像データを再生することができる。
【００７１】
さらに、たとえば、サーバ２１０とクライアント２２０とが配置された場所をドライブスルーとすることによって、自動車に乗ったまま、短時間に映像データなどをダウンロードすることができる。そして、自動車内に再生装置２３０がある場合には、直ちにダウンロードした映像データをみることができる。
【００７２】
特に、このダウンロードシステムの配置場所としては、集客力のある場所、たとえばホテルのロビー、コンビニエンスストアなどに設けるとよい。
【００７３】
なお、携帯メモリ２２３は、ＤＲＡＭ２２３ａを用いているため、リフレッシュなどのための電源が必要であるが、この電源は一次電池や二次電池によって実現することができる。ここで、一次電池や二次電池の容量を規定することによって、時間の経過とともに映像データを消去するようにしてもよい。これによって、映像データのダウンロードが有料である場合に、極端な繰り返し利用やコピーを防止することができる。なお、上述したＤＲＡＭ２１３ａ，２２３ａは、これと同様の機能、すなわち小型で高速アクセスが可能なメモリに置き換えることができる。
【００７４】
また、上述した実施の形態では、大容量のデータとして動画像としての映像データを例にあげて説明したが、これに限らず、他のデータ、たとえば静止画などあってもよいし、映像データが混在するデータであってもよい。また、ダウンロードするデータの内容も、各種のものであってもよく、映画以外に、週刊誌やタウン情報誌の静止画や動画化された映像であってもよい。
【００７５】
さらに、この実施の形態５の応用例として、迅速性が要求される映像の編集にも用いることができる。すなわち、再生装置２３０を映像の編集装置に置き換えることによって、たとえば、テレビ局などで取材した映像を迅速に携帯メモリ２２３にダウンロードし、編集装置によって編集することができる。
【００７６】
（実施の形態６）
つぎに、この発明の実施の形態６について説明する。上述した実施の形態５では、ユーザが携帯メモリ２２３にクライアント２２０でダウンロードし、映像データが格納された携帯メモリ２２３を再生装置２３０に挿入して直接接続するようにしていたが、この実施の形態２では、携帯メモリにダウンロードされた映像データを再生装置側に無線伝送して再生するようにしている。
【００７７】
図１９は、この発明の実施の形態６であるダウンロードシステムの主要な一部構成を示す図である。携帯メモリ２２３に対応する携帯メモリ２４０は、さらに２．４ＧＨｚあるいは５．２ＧＨｚの無線送信を行う送信器２２３ｂとアンテナ２２３ｃとを有する。一方、再生装置２３０に対応する再生装置２５０は、映像データを表示する表示部２５０ａ、２．４ＧＨｚあるいは５．２ＧＨｚの無線受信を行う受信器２５０ｂおよびアンテナ２５０ｃを有する。その他の構成は、実施の形態５と同じである。
【００７８】
この実施の形態６では、携帯メモリ２４０のＤＲＡＭ２２３ａに格納された映像データの再生を無線接続できるようにしているので、遠隔にある再生装置を利用することができることになる。
【００７９】
（実施の形態７）
つぎに、この発明の実施の形態７について説明する。この実施の形態７では、ダウンロードされる映像データに、広告用の映像データを付加してダウンロードさせるようにしている。この広告用の映像データは、大容量メモリ１３内に広告用の映像データを格納する領域を設けておき、制御部２１２が、ダウンロードの都度、広告用の映像データを付加する。この広告用の映像データは、何種類か用意しておき、同一ユーザに対して同じ広告用の映像データが付加されないようにすることが好ましい。さらに、広告用の映像データは、ユーザが指定した映像データの再生前に再生するように付加することが好ましい。なぜなら、これら広告用の映像データは、広告料によって映像データのダウンロード料金が無料になり、あるいは安くなるように設定しているからである。なお、広告用の映像データの付加は、ユーザによって選択できるようにしてもよい。また、ユーザが指定したダウンロードの映像データの再生中であっても広告の映像を出力してよい場合には、広告用の映像データを、ユーザが指定した映像データの映像の一部領域に上書きしてダウンロードするようにしてもよい。
【図面の簡単な説明】
【００８０】
【図１】本発明のＮＲＤガイドトランシーバの斜視図である。
【図２】図１に示したＮＲＤガイドトランシーバの要部の回路構成図である。
【図３】本発明の実施の形態４にかかるＮＲＤガイドトランシーバの要部の回路構成図である。
【図４】低域通過フィルタの伝送特性のグラフである。
【図５】高域通過フィルタの伝送特性のグラフである。
【図６】本発明のＮＲＤガイドトランシーバによる変調回路の説明図である。
【図７】本発明のＮＲＤガイドトランシーバによるミキサ回路の説明図である。
【図８】本発明の実施の形態４にかかるＮＲＤガイドトランシーバによる変調回路の説明図である。
【図９】本発明の実施の形態４にかかるＮＲＤガイドトランシーバによるミキサ回路の説明図である。
【図１０】本発明のＮＲＤガイドトランシーバに用いる低域通過フィルタの回路図である。
【図１１】本発明のＮＲＤガイドトランシーバに用いる高域通過フィルタの回路図である。
【図１２】本発明の実施の形態４にかかるＮＲＤガイドトランシーバに用いる低域通過フィルタの回路図である。
【図１３】本発明のＮＲＤガイドトランシーバを用いた送受信実験の結果を示す送信パルスおよび受信パルスのグラフである。
【図１４】本発明の実施の形態２にかかるＮＲＤガイドトランシーバの斜視図である。
【図１５】図１４に示したＮＲＤガイドトランシーバの要部の回路構成図である。
【図１６】本発明の実施の形態３にかかるＮＲＤガイドトランシーバの斜視図である。
【図１７】図１６に示したＮＲＤガイドトランシーバの要部の回路構成図である。
【図１８】この発明の実施の形態１であるダウンロードシステムの構成を示す図である。
【図１９】この発明の実施の形態２であるダウンロードシステムの主要な一部を示すブロック図である。
【図２０】従来のＮＲＤガイドトランシーバの平面図である。
【図２１】従来の増幅器を必要とした送受信回路図である。
【図２２】従来の増幅器を不要とした送受信回路図である。
【図２３】従来のＮＲＤガイド結合器を利用した送受信回路図である。
【符号の説明】
【００８１】
１５１  ＮＲＤガイドトランシーバ
１５２  導体板
１５３  導体板
１５４  誘電体ストリップ
１５５  誘電体ストリップ
１５６  ショットキーバリアダイオード
１５７  ショットキーバリアダイオード
１６４  低域通過フィルタ
１６５  高域通過フィルタ
１６９  他の低域通過フィルタ
２１０  サーバ
２１１，２２１  入出力部
２１２，２２２  制御部
２１３  大容量メモリ
２１３ａ，２２３ａ  ＤＲＡＭ
２１４，２２４  ＬＡＮカード
２１５，２２５  ミリ波送受信器
２１６  ＨＤＤ
２２０  クライアント
２２３，２４０  携帯メモリ
２２３ｂ  送信器
２２３ｃ  アンテナ
２３０，２５０  再生装置
２５０ａ  表示部
２５０ｂ  受信器
２５０ｃ  送信器
【図１】
2005286991.tif 000003
【図２】
2005286991.tif 000004
【図３】
2005286991.tif 000005
【図４】
2005286991.tif 000006
【図５】
2005286991.tif 000007
【図６】
2005286991.tif 000008
【図７】
2005286991.tif 000009
【図８】
2005286991.tif 000010
【図９】
2005286991.tif 000011
【図１０】
2005286991.tif 000012
【図１１】
2005286991.tif 000013
【図１２】
2005286991.tif 000014
【図１３】
2005286991.tif 000015
【図１４】
2005286991.tif 000016
【図１５】
2005286991.tif 000017
【図１６】
2005286991.tif 000018
【図１７】
2005286991.tif 000019
【図１８】
2005286991.tif 000020
【図１９】
2005286991.tif 000021
【図２０】
2005286991.tif 000022
【図２１】
2005286991.tif 000023
【図２２】
2005286991.tif 000024
【図２３】
2005286991.tif 000025